(57)【特許請求の範囲】
【請求項１】
器体内部に納装され外部の電線がそれぞれ接続される第１及び第２の端子部と、器体内部に納装され第１及び第２の端子部の間の電路の電気的接続状態を切り替える接点部と、器体前面に設けた開口から前面を露出させた状態で器体前面と交差する面内において回動自在に器体内部に保持された操作ハンドルと、操作ハンドル内部に納装され、電路の電気的接続状態に応じて点灯又は消灯する点灯ブロックとを備えたスイッチにおいて、
接点部を、第１の端子部に設けられた固定接点と、導電材料により形成され第２の端子部と接触した状態で回動する開閉体と、開閉体に設けられ開閉体の回動に応じて固定接点と接触又は開離する可動接点と、弾性を有する金属材料により形成され、操作ハンドルの背面に設けられた収納凹所に一端部が納装されるとともに他端部が開閉体で保持され、操作ハンドルの回動に応じて反対側に屈曲することにより開閉体に反転回動力を付与するコイルばねとで構成するとともに、
点灯ブロックを、操作ハンドルの回動に応じて第１の端子部と接触又は開離する端子片と、先端が操作ハンドルの収納凹所内に挿入されて収納凹所の底面に配置され、収納凹所に挿入されたコイルばねの一端部に電気的且つ機械的に接触するリード端子と、端子片とリード端子との間に電気的に接続され、端子片が第１の端子部に接触した場合にコイルばね及び端子片を介して通電されて点灯する発光素子とで構成し、
操作ハンドルに設けた収納凹所の底面に、リード端子が入り込むリード端子収納溝を設けたことを特徴とするスイッチ。
【請求項２】
器体内部に納装され外部の電線がそれぞれ接続される第１及び第２の端子部と、器体内部に納装され第１及び第２の端子部の間の電路の電気的接続状態を切り替える接点部と、器体前面に設けた開口から前面を露出させた状態で器体前面と交差する面内において回動自在に器体内部に保持された操作ハンドルと、操作ハンドル内部に納装され、電路の電気的接続状態に応じて点灯又は消灯する点灯ブロックとを備えたスイッチにおいて、
接点部を、第１の端子部に設けられた固定接点と、導電材料により形成され第２の端子部と接触した状態で回動する開閉体と、開閉体に設けられ開閉体の回動に応じて固定接点と接触又は開離する可動接点と、弾性を有する金属材料により形成され、操作ハンドルの背面に設けられた収納凹所に一端部が納装されるとともに他端部が開閉体で保持され、操作ハンドルの回動に応じて反対側に屈曲することにより開閉体に反転回動力を付与するコイルばねとで構成するとともに、
点灯ブロックを、操作ハンドルの回動に応じて第１の端子部と接触又は開離する端子片と、先端が操作ハンドルの収納凹所内に挿入されて収納凹所の底面に配置され、収納凹所に挿入されたコイルばねの一端部に電気的且つ機械的に接触するリード端子と、端子片とリード端子との間に電気的に接続され、端子片が第１の端子部に接触した場合にコイルばね及び端子片を介して通電されて点灯する発光素子とで構成し、
操作ハンドルに設けた収納凹所の内壁に、コイルばねと当接してコイルばねを反対側の内壁に押し付けることにより、オン／オフ操作時の操作荷重の差が小さくなる側へコイルばねを強制的に移動させるリブを設けたことを特徴とするスイッチ。
【請求項３】
前記リブに、前記収納凹所の開口側から底面側へ行くにしたがって収納凹所の内壁からの突出量が大きくなるような傾斜面を設けたことを特徴とする請求項２記載のスイッチ。
【請求項４】
前記収納凹所の底面に、リード端子が入り込むリード端子収納溝を設けたことを特徴とする請求項２又は３記載のスイッチ。
【請求項５】
器体内部に納装され外部の電線がそれぞれ接続される第１及び第２の端子部と、器体内部に納装され第１及び第２の端子部の間の電路の電気的接続状態を切り替える接点部と、器体前面に設けた開口から前面を露出させた状態で器体前面と交差する面内において回動自在に器体内部に保持された操作ハンドルと、操作ハンドル内部に納装され、電路の電気的接続状態に応じて点灯又は消灯する点灯ブロックとを備えたスイッチにおいて、
接点部を、第１の端子部に設けられた固定接点と、導電材料により形成され第２の端子部と接触した状態で回動する開閉体と、開閉体に設けられ開閉体の回動に応じて固定接点と接触又は開離する可動接点と、弾性を有する金属材料により形成され、操作ハンドルの背面に設けられた収納凹所に一端部が納装されるとともに他端部が開閉体で保持され、操作ハンドルの回動に応じて反対側に屈曲することにより開閉体に反転回動力を付与するコイルばねとで構成するとともに、
点灯ブロックを、操作ハンドルの回動に応じて第１の端子部と接触又は開離する端子片と、先端が操作ハンドルの収納凹所内に挿入されて収納凹所の底面に配置され、収納凹所に挿入されたコイルばねの一端部に電気的且つ機械的に接触するリード端子と、端子片とリード端子との間に電気的に接続され、端子片が第１の端子部に接触した場合にコイルばね及び端子片を介して通電されて点灯する発光素子とで構成し、
コイルばねの一端部が収納凹所内でオン／オフ操作時の操作荷重の差が小さくなる側へ移動するように、収納凹所の位置と開閉体の回動中心の位置とを相対的にずらしたことを特徴とするスイッチ。
【請求項６】
操作ハンドルの回動中心の位置と収納凹所の位置とをずらすことによって、収納凹所の位置と開閉体の回動中心の位置とを相対的にずらしたことを特徴とする請求項５記載のスイッチ。
【請求項７】
操作ハンドルの回動中心の位置と開閉体の回動中心の位置とをずらすことによって、収納凹所の位置と開閉体の回動中心の位置とを相対的にずらしたことを特徴とする請求項５記載のスイッチ。
【発明の詳細な説明】
【０００１】
【発明の属する技術分野】
本発明は、スイッチに関するものである。
【０００２】
【従来の技術】
従来より、図１５及び図１６に示すような構造を有するスイッチＡが提供されている。このスイッチＡの器体１は、前面が開口した略箱状の合成樹脂製のボディ２と、ボディ２の前面に被着される合成樹脂製のカバー３とを結合して構成される。
【０００３】
ボディ２の内部は隔壁によって複数の区画に仕切られており、それぞれ外部の電線が接続される端子部を収納する端子収納室２２，２２が両側に設けられ、接点機構を収納する接点収納室２３が略中央に設けられている。
【０００４】
端子収納室２２，２２には、それぞれ、端子板６，７と各一対の鎖錠ばね８と解除釦９とで構成される所謂速結端子構造の端子が収納されている。
【０００５】
一方の端子板６には、接点収納室２３内に延設して先端をボディ２の長手方向に直交するように折曲した延設片６ｄが一体に形成され、この延設片６ｄに固定接点１０が固着してある。また、他方の端子板７からは、接点収納室２３の底面に敷設される支持片７ｄを延設してあり、この支持片７ｄの先端部を山形状に折曲して支持突起７ｅを形成し、この支持突起７ｅ上に開閉体１１を回動自在に載置してある。開閉体１１は導電材料の帯板を折り曲げ形成することによって上方に開口するコ字状に形成され、下部の両側から一対の回動規制片１１ａがそれぞれ突設してあり、この回動規制片１１ａ間にボディ２の内側面から突設されたリブ（図示せず）を係合することで、開閉体１１の回動角（反転角）が規制される。そして、端子板６の固定接点１０に臨む開閉体１１の部位には可動接点１２が固着してある。ここに、固定接点１０と開閉体１１とで接点機構が構成される。
【０００６】
また、カバー３の前面略中央には前方に突出するボス部３１が設けられ、ボス部３１には操作ハンドル５の操作面５ａを露出させる矩形状の窓孔３３が開口している。操作ハンドル５は合成樹脂成型品であって、後面が開口した略箱形に形成されており、ボス部３１の窓孔３３から操作面５ａを露出させた状態でカバー３の内部に保持されている。また操作ハンドル５の内底面の中央からはコイルばね１３の上端部を挿入固定する筒状突起５３（収納凹所）が突設してある。このコイルばね１３は操作ハンドル５の回動に応じて開閉体１１に反転回動力を付与するものであり、下部が開閉体１１内に収められて、操作ハンドル５と開閉体１１との間に介装される。すなわち、器体１に対して操作ハンドル５を回動させれば、器体１内に圧縮して収められたコイルばね１３による作用で開閉体１１が反転回動して、開閉体１１の可動接点１２を端子板６の固定接点１０に接触・開離させることができる。なお、このスイッチＡ は、固定接点１０と可動接点１２を接触・開離することで端子板６と端子板７との間の導通をオン・オフする、所謂片切型のスイッチである。
【０００７】
ところで、このスイッチＡでは、合成樹脂製の取付板１４にインサート成形されている端子板（図示せず）にネオンランプ１６及びランプ電流を制限するための抵抗１７の一端を電気的に接続して成る点灯ブロックが操作ハンドル５内に納装してある。取付板１４の略中央には圧入孔１４ａが形成されており、この圧入孔１４ａに操作ハンドル５の筒状突起５３を圧入することで取付板１４が筒状突起５３に固定され、操作ハンドル５内に納装される。このとき、ネオンランプ１６及び抵抗１７は、操作ハンドル５内の筒状突起５３周囲のスペースに収納される。
【０００８】
取付板１４の長手方向一端側（端子板６に対向する側）からは、取付板１４にインサート成形される端子板と一体に形成され、端子板６の上面部と接離自在に接触導通する端子片１５が突出させてあり、この端子片１５の下面には接点（図示せず）が形成してある。また、抵抗１７の一方のリード端子１７ａは筒状突起５３の側面に設けた縦溝５３ａを通して筒状突起５３内に挿入されて（図１５（ｂ）参照）、筒状突起５３の底面に配置されており、筒状突起５３の内部においてコイルばね１３に接触導通させている。
【０００９】
また、操作ハンドル５の操作面５ａには、ネオンランプ１６と対向する部位に窓孔５４が貫設されている。この窓孔５４には透光性を有する合成樹脂により形成された透光部材１９が嵌入されており、ネオンランプ１６の発する光は透光部材１９を通して外側へ導かれるようになっている。なお、操作ハンドル５の内部にはネオンランプ１６の周りを囲むようにして、コ字状に形成された遮光板１８が納められており、ネオンランプ１６の光が操作ハンドル５の側面を透過して漏れるのを防止している。
【００１０】
ここで、開閉体１１の可動接点１２が端子板６の固定接点１０と開離するように操作ハンドル５を操作した場合には、操作ハンドル５が図１６中左下がりに傾斜し、取付板１４の端部から突出する端子片１５の下面に形成された接点が端子板６の上面部に接触導通する。この時、開閉体１１と接触導通しているコイルばね１３を介して、ネオンランプ１６並びに抵抗１７に電源が供給されてネオンランプ１６が点灯する。一方、図１６に示すように、開閉体１１の可動接点１２が端子板６の固定接点１０と接触するように操作ハンドル５を操作した場合には、操作ハンドル５が図１６中右下がりに傾斜し、取付板１４の端子片１５が端子板６の上面部から開離するので、ネオンランプ１６への電源供給が停止されて、ネオンランプ１６が消灯する。
【００１１】
【発明が解決しようとする課題】
ところで、操作ハンドル５の内部に上述した点灯ブロックが納められていないスイッチでは、図１７（ａ）（ｂ）に示すように、コイルばね１３の上端部が筒状突起５３の平坦な底面に当接しているので、コイルばね１３の上端部は筒状突起５３の底面の略中央に当接する。したがって、コイルばね１３のばね荷重が操作ハンドル５の一方の側に片寄って加わることがなく、オン操作時とオフ操作時とで操作ハンドル５の操作荷重が略同じになっている。
【００１２】
それに対して、操作ハンドル５の内部に点灯ブロックを納めたスイッチＡでは、縦溝５３ａを通して筒状突起５３内に抵抗１７のリード端子１７ａが挿入されており、コイルばね１３の上端部と筒状突起５３の底面との間にリード端子１７ａが介装されているので、コイルばね１３の上端部が当接する面に凹凸ができる。その結果、図１５（ａ）に示すようにコイルばね１３の上端部が片側に片寄り、ばね荷重が操作ハンドル５の片側に片寄って加わるため、オン操作時とオフ操作時とで操作ハンドル５の操作荷重に大きな差が生じ、操作時の感触が悪いという問題があった。
【００１３】
本発明は上記問題点に鑑みて為されたものであり、その目的とするところは、オン操作時とオフ操作時とで操作荷重の差を小さくしたスイッチを提供することにある。
【００１４】
【課題を解決するための手段】
上記目的を達成するために、請求項１の発明では、器体内部に納装され外部の電線がそれぞれ接続される第１及び第２の端子部と、器体内部に納装され第１及び第２の端子部の間の電路の電気的接続状態を切り替える接点部と、器体前面に設けた開口から前面を露出させた状態で器体前面と交差する面内において回動自在に器体内部に保持された操作ハンドルと、操作ハンドル内部に納装され、電路の電気的接続状態に応じて点灯又は消灯する点灯ブロックとを備えたスイッチにおいて、接点部を、第１の端子部に設けられた固定接点と、導電材料により形成され第２の端子部と接触した状態で回動する開閉体と、開閉体に設けられ開閉体の回動に応じて固定接点と接触又は開離する可動接点と、弾性を有する金属材料により形成され、操作ハンドルの背面に設けられた収納凹所に一端部が納装されるとともに他端部が開閉体で保持され、操作ハンドルの回動に応じて反対側に屈曲することにより開閉体に反転回動力を付与するコイルばねとで構成するとともに、点灯ブロックを、操作ハンドルの回動に応じて第１の端子部と接触又は開離する端子片と、先端が操作ハンドルの収納凹所内に挿入されて収納凹所の底面に配置され、収納凹所に挿入されたコイルばねの一端部に電気的且つ機械的に接触するリード端子と、端子片とリード端子との間に電気的に接続され、端子片が第１の端子部に接触した場合にコイルばね及び端子片を介して通電されて点灯する発光素子とで構成し、操作ハンドルに設けた収納凹所の底面に、リード端子が入り込むリード端子収納溝を設けたことを特徴としている。このような構成を採用したことによって、リード端子がリード端子収納溝内に入り込み、収納凹所の底面とリード端子との段差が小さくなるから、コイルばねの一端部が当接する部位の凹凸を小さくでき、その結果コイルばねの一端部が収納凹所内の片側に片寄って当たるのを防止できるから、オン操作時とオフ操作時とで操作ハンドルに加わるコイルばねのばね荷重の差が小さくなり、操作荷重の差を小さくして、操作時の感触を良好にできる。
【００１５】
請求項２の発明では、器体内部に納装され外部の電線がそれぞれ接続される第１及び第２の端子部と、器体内部に納装され第１及び第２の端子部の間の電路の電気的接続状態を切り替える接点部と、器体前面に設けた開口から前面を露出させた状態で器体前面と交差する面内において回動自在に器体内部に保持された操作ハンドルと、操作ハンドル内部に納装され、電路の電気的接続状態に応じて点灯又は消灯する点灯ブロックとを備えたスイッチにおいて、接点部を、第１の端子部に設けられた固定接点と、導電材料により形成され第２の端子部と接触した状態で回動する開閉体と、開閉体に設けられ開閉体の回動に応じて固定接点と接触又は開離する可動接点と、弾性を有する金属材料により形成され、操作ハンドルの背面に設けられた収納凹所に一端部が納装されるとともに他端部が開閉体で保持され、操作ハンドルの回動に応じて反対側に屈曲することにより開閉体に反転回動力を付与するコイルばねとで構成するとともに、点灯ブロックを、操作ハンドルの回動に応じて第１の端子部と接触又は開離する端子片と、先端が操作ハンドルの収納凹所内に挿入されて収納凹所の底面に配置され、収納凹所に挿入されたコイルばねの一端部に電気的且つ機械的に接触するリード端子と、端子片とリード端子との間に電気的に接続され、端子片が第１の端子部に接触した場合にコイルばね及び端子片を介して通電されて点灯する発光素子とで構成し、操作ハンドルに設けた収納凹所の内壁に、コイルばねと当接してコイルばねを反対側の内壁に押し付けることにより、オン／オフ操作時の操作荷重の差が小さくなる側へコイルばねを強制的に移動させるリブを設けたことを特徴としている。而して、コイルばねの一端部を操作ハンドルの収納凹所に挿入すると、収納凹所の内壁に設けたリブによってコイルばねが反対側の内壁に押し付けられ、オン／オフ操作時の操作荷重の差が小さくなる側へコイルばねを強制的に移動させるから、操作荷重の差を小さくして操作時の感触を良好にできる。
【００１６】
請求項３の発明では、請求項２の発明において、リブに、収納凹所の開口側から底面側へ行くにしたがって収納凹所の内壁からの突出量が大きくなるような傾斜面を設けたことを特徴とし、収納凹所の開口側から底面側へ行くにしたがって収納凹所の内壁からの突出量が大きくなるような傾斜面をリブに設けているので、収納凹所の開口が広くなって、コイルばねの一端部を収納凹所に挿入する作業がやり易くなるという利点がある。
【００１７】
請求項４の発明では、請求項２又は３の発明において、収納凹所の底面に、リード端子が入り込むリード端子収納溝を設けたことを特徴とし、リード端子がリード端子収納溝内に入り込み、収納凹所の底面とリード端子との段差が小さくなるので、コイルばねの一端部が当接する部位の凹凸を小さくできる。その結果コイルばねの一端部が収納凹所内の片側に片寄って当たるのを防止できるから、オン操作時とオフ操作時とで操作ハンドルに加わるコイルばねのばね荷重の差が小さくなり、操作荷重の差を小さくして、操作時の感触を良好にできる。
【００１８】
請求項５の発明では、器体内部に納装され外部の電線がそれぞれ接続される第１及び第２の端子部と、器体内部に納装され第１及び第２の端子部の間の電路の電気的接続状態を切り替える接点部と、器体前面に設けた開口から前面を露出させた状態で器体前面と交差する面内において回動自在に器体内部に保持された操作ハンドルと、操作ハンドル内部に納装され、電路の電気的接続状態に応じて点灯又は消灯する点灯ブロックとを備えたスイッチにおいて、接点部を、第１の端子部に設けられた固定接点と、導電材料により形成され第２の端子部と接触した状態で回動する開閉体と、開閉体に設けられ開閉体の回動に応じて固定接点と接触又は開離する可動接点と、弾性を有する金属材料により形成され、操作ハンドルの背面に設けられた収納凹所に一端部が納装されるとともに他端部が開閉体で保持され、操作ハンドルの回動に応じて反対側に屈曲することにより開閉体に反転回動力を付与するコイルばねとで構成するとともに、点灯ブロックを、操作ハンドルの回動に応じて第１の端子部と接触又は開離する端子片と、先端が操作ハンドルの収納凹所内に挿入されて収納凹所の底面に配置され、収納凹所に挿入されたコイルばねの一端部に電気的且つ機械的に接触するリード端子と、端子片とリード端子との間に電気的に接続され、端子片が第１の端子部に接触した場合にコイルばね及び端子片を介して通電されて点灯する発光素子とで構成し、コイルばねの一端部が収納凹所内でオン／オフ操作時の操作荷重の差が小さくなる側へ移動するように、収納凹所の位置と開閉体の回動中心の位置とを相対的にずらしたことを特徴としている。このように、収納凹所の位置と開閉体の回動中心の位置とを相対的にずらすことによって、コイルばねの一端部を収納凹所内でオン／オフ操作時の操作荷重の差が小さくなる側へ移動させているので、操作荷重の差を小さくして操作時の感触を良好にできる。
【００１９】
請求項６の発明では、請求項５の発明において、操作ハンドルの回動中心の位置と収納凹所の位置とをずらすことによって、収納凹所の位置と開閉体の回動中心の位置とを相対的にずらしたことを特徴とし、請求項５の発明と同様の作用を奏する。
【００２０】
請求項７の発明では、請求項５の発明において、操作ハンドルの回動中心の位置と開閉体の回動中心の位置とをずらすことによって、収納凹所の位置と開閉体の回動中心の位置とを相対的にずらしたことを特徴とし、請求項５の発明と同様の作用を奏する。
【００２１】
【発明の実施の形態】
本発明の実施の形態を図面に基づいて説明する。
【００２２】
（実施形態１）
本発明の実施形態１を図１〜図５に基づいて説明する。本実施形態のスイッチＡはタンブラー式のスイッチであり、その器体１は、図２及び図３に示すように前面が開口した略箱状の合成樹脂製のボディ２と、ボディ２の前面に被着される合成樹脂製のカバー３とで構成され、ボディ２とカバー３とは金属製の一対の組立枠４，４により結合される。なお、このスイッチＡは、図４に示すように大角形連用配線器具の取付枠６０（ＪＩＳ  Ｃ  ８３７５参照）に取り付けられて壁面等の造営面に設けた埋込孔に埋込配設されるものであって、器体１は、器体１の長手方向を取付枠６０の取付窓６１の長手方向と略直交させた状態で、短幅方向に並べて３個まで取付枠６０に取り付けることができるような寸法（この寸法を「１個モジュール寸法」と呼ぶ）に形成してある。
【００２３】
組立枠４は、帯板状の主片４１の両端から組立脚４２，４２がそれぞれ垂下されて、全体が略コ字形に形成されている。そして、組立枠４の主片４１を、カバー３の左右両側に設けた段部３２上に載置し、組立脚４２をカバー３側面及びボディ２側面に夫々設けた取付凹部３５，２１内に位置決めして、組立脚４２の先端に形成された二股の爪４３を左右に拡径することでボディ２とカバー３とが結合されて器体１が組み立てられる。また、組立枠４の主片４１における一側縁の両端近傍には一対の係止爪４４が突設されるとともに、他側縁には係合孔４６を有する起立片４５が組立脚４２と反対方向に突設してあり、後述するように係止爪４４又は係合孔４６の何れかを利用して、金属製の取付枠或いは合成樹脂製の取付枠の何れにも器体１を取り付けることができるようになっている。
【００２４】
ボディ２の内部は隔壁によって複数の区画に仕切られており、それぞれ外部の電線が接続される端子部を収納する端子収納室２２，２２が両側に設けられ、接点機構を収納する接点収納室２３が略中央に設けられている。
【００２５】
端子収納室２２，２２には、それぞれ、導電材料から形成された端子板６，７と、各一対の鎖錠ばね８と、解除釦９とで構成される所謂速結端子構造の端子部が収納されており、各端子収納室２２の底面には、外部の電線を挿入する一対の電線挿入孔２４と、解除釦９を操作するための操作孔２５とが穿設してある。ここに、一方の端子収納室２２に収納された端子板６と一対の鎖錠ばね８と解除釦９とで第１の端子部が構成され、他方の端子収納室２２に収納された端子板７と一対の鎖錠ばね８と解除釦９とで第２の端子部が構成される。
【００２６】
端子板６，７はそれぞれ略コ字状に形成されたコ字状部６ａ，７ａを有しており、コ字状部６ａ，７ａにはそれぞれ一対の鎖錠ばね８が収納されている。鎖錠ばね８は弾性を有する導電材料の帯板の両端部を曲成することによって、中央片８ｃの両端部に鎖錠片８ａ及び接触片８ｂを形成してある。そして、鎖錠ばね８の中央片８ｃは、各コ字状部６ａ，７ａの当接片６ｃ，７ｃに当接し、鎖錠片８ａは中央片８ｃとの連結部位から先端縁に向かってコ字状部６ａ，７ａの接触片６ｂ，７ｂに近付く向きに傾斜する。また、接触片８ｂは略Ｓ字状に曲成されており、鎖錠ばね８に設けた鎖錠片８ａおよび接触片８ｂがコ字状部６ａ，７ａの接触片６ｂ，７ｂと対向する。また、解除釦９の両側面には押圧突起９ａ，９ａが突設されており、各押圧突起９ａを一対の鎖錠ばね８の鎖錠片８ａと対向させるようにして一対の鎖錠ばね８，８の間に配置されている。
【００２７】
ここで、電線の被覆が剥かれた芯線（図示せず）を電線挿入孔２４から挿入すると、端子板６，７の接触片６ｂ，７ｂと鎖錠ばね８の鎖錠片８ａ及び接触片８ｂとの間に電線の芯線が挿入され、鎖錠片８ａの先端が電線の芯線に食い込んで抜け止めがなされるとともに、鎖錠片８ａ及び接触片８ｂによって電線の芯線が端子板６，７の接触片６ｂ，７ｂに圧接されることにより、電線の芯線と端子板６，７との電気的及び機械的接続が図られる。また、外部から操作孔２５を通して挿入されるドライバ等の工具の先端で解除釦９を押操作すれば、解除釦９の両側面に突設した押圧突起９ａで鎖錠ばね８の鎖錠片８ａを圧接解除方向に撓ませ、鎖錠片８ａの先端を電線の芯線から引き離して端子板６，７と電線との電気的及び機械的接続を解除することができる。
【００２８】
ところで、一方の端子板６には、接点収納室２３内に延設して先端をボディ２の長手方向に直交するように折曲した延設片６ｄが一体に形成され、この延設片６ｄに固定接点１０が固着してある。また、他方の端子板７からは、接点収納室２３の底面に敷設される支持片７ｄを延設してあり、この支持片７ｄの先端部を山形状に折曲して支持突起７ｅを形成し、この支持突起７ｅ上に開閉体１１を回動自在に載置してある。開閉体１１は導電材料の帯板を折り曲げ形成することによって上方に開口するコ字状に形成され、下部の両側から一対の回動規制片１１ａがそれぞれ突設してあり、この回動規制片１１ａ間にボディ２の内側面から突設されたリブ２６，２６を係合することで、開閉体１１の回動角（反転角）が規制される。そして、端子板６の固定接点１０に臨む開閉体１１の部位には可動接点１２が固着してある。
【００２９】
また、カバー３の前面略中央には前方に突出するボス部３１が設けられ、ボス部３１には操作ハンドル５の操作面５ａを露出させる矩形状の窓孔３３が開口している。操作ハンドル５は合成樹脂成型品であって、後面が開口した略箱形に形成されており、ボス部３１の窓孔３３から操作面５ａを露出させた状態でカバー３前面前面と略直交する面内において回動自在にカバー３の内部に保持されている。また操作ハンドル５の両側面の下部には略三角状の回動軸５１が突設してあり、内底面の中央からはコイルばね１３の上端部を挿入固定する収納凹所としての筒状突起５３が突設してある。このコイルばね１３は操作ハンドル５の回動に応じて開閉体１１に反転回動力を付与するものであり、下部が開閉体１１内に収められて、操作ハンドル５と開閉体１１との間に介装される。ここに、端子板６の固定接点１０と、開閉体１１と、開閉体１１に設けた可動接点１２と、コイルばね１３とで、第１及び第２の端子部の間の電路の電気的接続状態を切り替える接点部が構成される。
【００３０】
一方、カバー３の短幅方向の両側壁の内面には軸受溝３４が形成されており、この軸受溝３４に操作ハンドル５の回動軸５１を下側から嵌入し、カバー３にて操作ハンドル５を回動自在に保持する構造となっている。ここで、操作ハンドル５の回動軸５１の下部には上部よりも内側に一段下がった段部５２が設けてあり、回動軸５１を軸受溝３４に嵌入させた際に、軸受溝３４の下部に突設した抜け止めダボ３４ａが段部５２と嵌合することで操作ハンドル５の脱落が防止できるようになっている。
【００３１】
而して、回動軸５１を支点として器体１に対して操作ハンドル５を回動させれば、器体１内に圧縮して収められたコイルばね１３が反対側に屈曲することにより開閉体１１が反転回動して、開閉体１１の可動接点１２を端子板６の固定接点１０に接触・開離させることができる。なお、このスイッチＡ は、固定接点１０と可動接点１２を接触・開離することで端子板６と端子板７との間の導通をオン・オフする、所謂片切型のスイッチであるが、接点部の構成を片切型のスイッチに限定する趣旨のものではない。
【００３２】
また、このスイッチＡでは、合成樹脂製の取付板１４にインサート成形されている端子板（図示せず）にネオンランプ１６（発光素子）及びランプ電流を制限するための抵抗１７の一端を電気的に接続して成る点灯ブロックが操作ハンドル５内に納装してある。この点灯ブロックは、第１及び第２の端子部の間の電路の電気的接続状態に応じて点灯又は消灯するものであり、本実施形態では接点部のオフ時に点灯してスイッチＡの位置表示を行っている。取付板１４の略中央には圧入孔１４ａが形成されており、この圧入孔１４ａに操作ハンドル５の筒状突起５３を圧入することで取付板１４が筒状突起５３に固定され、操作ハンドル５内に納装される。このとき、ネオンランプ１６及び抵抗１７は、操作ハンドル５内の筒状突起５３周囲のスペースに収納される。
【００３３】
取付板１４の長手方向一端側（端子板６に対向する側）からは、取付板１４にインサート成形される端子板と一体に形成され、端子板６の上面部と接離自在に接触導通する端子片１５が突出させてあり、この端子片１５の下面には接点（図示せず）が形成してある。また、抵抗１７の一方のリード端子１７ａは筒状突起５３の側面に設けた縦溝５３ａを通して筒状突起５３内に挿入されて（図１（ｂ）（ｃ）参照）、筒状突起５３の底面に配置されており、筒状突起５３の内部においてコイルばね１３に接触導通させている。
【００３４】
ところで、操作ハンドル５の操作面５ａには、ネオンランプ１６と対向する部位に窓孔５４が貫設されている。この窓孔５４には透光性を有する合成樹脂により形成された透光部材１９が嵌入されており、ネオンランプ１６の発する光は透光部材１９を通して外側へ導かれるようになっている。なお、操作ハンドル５の内部にはネオンランプ１６の周りを囲むようにして、コ字状に形成された遮光板１８が納められており、ネオンランプ１６の光が操作ハンドル５の側面を透過して漏れるのを防止している。
【００３５】
而して、開閉体１１の可動接点１２が端子板６の固定接点１０と開離するように操作ハンドル５を操作した場合には、操作ハンドル５が図２中左下がりに傾斜し、取付板１４の端部から突出する端子片１５の下面に形成された接点が端子板６の上面部に接触導通する。この時、開閉体１１と接触導通しているコイルばね１３を介して、ネオンランプ１６並びに抵抗１７に電源が供給されてネオンランプ１６が点灯する。一方、図２に示すように、開閉体１１の可動接点１２が端子板６の固定接点１０と接触するように操作ハンドル５を操作した場合には、取付板１４の端子片１５が端子板６の上面部から開離するので、ネオンランプ１６への電源供給が停止され、ネオンランプ１６が消灯する。
【００３６】
ここで、本実施形態では筒状突起５３の底面に、抵抗１７のリード端子１７ａが入り込むリード端子収納溝５５を、リード端子１７ａの挿入方向に沿って凹設している。リード端子収納溝５５の深さ寸法は、リード端子１７ａの外径よりも若干小さい寸法に形成されているので、リード端子１７ａをリード端子収納溝５５内に配置すると、リード端子１７ａと筒状突起５３の底面とが略同じ高さになり、コイルばね１３の上端部が当接する部位の凹凸を少なくできる。したがって、コイルばね１３の上端部を筒状突起５３内に挿入した際に、コイルばね１３の上端部の片寄りを少なくでき、オン操作時とオフ操作時とで操作ハンドル５に加わるコイルばね１３のばね荷重の差が小さくなるから、操作荷重の差を小さくして操作時の感触を良好にできる。
【００３７】
このスイッチＡは、図４に示すように大角形連用配線器具の取付枠６０（ＪＩＳ  Ｃ  ８３７５参照）に取り付けられて壁面等の造営面に設けた埋込孔に埋込配設される。取付枠６０は金属材料により中央に取付窓６１を備える矩形枠状に形成されており、長手方向に対向する両側片６２には埋込ボックスに取り付けるためのボックスねじを挿通する長孔６３と、壁面等の造営面に直付けするためのねじが挿通されるねじ挿通孔６４と、造営面を形成する壁パネル等に取り付ける際に使用するはさみ金具を係止するはさみ金具係止孔６５と、後述する取付ねじ７９が螺合するねじ孔６６とが設けてある。また、取付窓６１を挟んで長手方向に沿って対向する側枠片６７ａ，６７ｂには、組立枠４の起立片４５に設けられた係合孔４６と係合する係合爪６８ａ，６８ｂがそれぞれ設けてある。このうち一方の側枠片６７ｂにおいては、上記係合爪６８ｂを幅細の支持片６９で両側から支持するようにしてある。すなわち、スイッチＡを取付枠６０に取り付ける際には、側枠片６７ａの係合爪６８ａを先にスイッチＡの一方の係合孔４６に係合させ、ドライバ等の工具を使って他方の側枠片６７ｂの支持片６９を取付窓６１側へ押し曲げることにより、スイッチＡの他方の係合孔４６に係合爪６８ｂを係合させてスイッチＡを取付枠６０に取り付けるようになっている。なお、取付枠６０にはスイッチＡを長手方向に直交する方向に３個並べて取り付けることができるように、係合爪６８ａ，６８ｂが３組設けてある。また、取付枠としては合成樹脂製のものもあり、合成樹脂製の取付枠の場合にはスイッチＡの組立枠４より側方に突設された係止爪４４が係止する係止孔が設けてある。
【００３８】
上述のようにスイッチＡが取り付けられた取付枠６０の前面にはプレート枠７０と化粧プレート８０から成るプレート（ＪＩＳ  Ｃ  ８３１６参照）が配設される。プレート枠７０は絶縁性を有する合成樹脂により矩形枠状に形成され、長手方向において対向する取付片７１，７１にそれぞれ設けたねじ挿通孔７１ａに取付ねじ７９を挿通し、この取付ねじ７９を取付枠６０の両側片６２に設けたねじ孔６６に螺合することで、プレート枠７０が取付枠６０にねじ止めして取着される。
【００３９】
また、プレート枠７０の前面には、プレート枠７０と同様に絶縁性を有する合成樹脂により略箱形に形成された化粧プレート８０が取着される。プレート枠７０の四隅には、化粧プレート８０の背面から突設した係止突起（図示せず）を係止する化粧プレート係止孔７２が設けてあり、これらの化粧プレート係止孔７２に上記係止突起を挿入係止することでプレート枠７０の前面側に化粧プレート８０を着脱自在に取り付けることができる。そして、図５に示すように化粧プレート８０に設けた開口窓８１からスイッチＡのボス部３１前面を露出させて操作ハンドル５の操作を可能としている。
【００４０】
（実施形態２）
本発明の実施形態２を図６及び図７を参照して説明する。尚、スイッチの基本構成は実施形態１と同様であるので、共通する構成には同一の符号を付してその説明は省略し、本実施形態の特徴となる構成についてのみ説明する。
【００４１】
本実施形態では、実施形態１のスイッチにおいて、筒状突起５３の底面にリード端子１７ａが入り込むリード端子収納溝５５を設ける代わりに、筒状突起５３の内壁に、コイルばね１３と当接してコイルばね１３を反対側の内壁に押し付けることにより、コイルばね１３の上端部が筒状突起５３の底面に対して略垂直に挿入されるよう、コイルばね１３の上端部を強制的に移動させるリブ５６を突設している。
【００４２】
コイルばね１３の上端部はリード端子１７ａに当接しているため、コイルばね１３と当接する部位に凹凸ができるが、筒状突起５３の内壁に設けたリブ５６によってコイルばね１３が反対側の内壁に押し付けられ、コイルばね１３の上端部が筒状突起５３の底面に対して略垂直に挿入されるので、コイルばね１３のばね荷重が操作ハンドル５に片寄って加わるのを抑制し、オン操作時とオフ操作時とで操作荷重の差を小さくすることができる。
【００４３】
このように、本実施形態ではコイルばね１３の上端部を筒状突起５３内に挿入した際に、筒状突起５３の内壁に設けたリブ５６とコイルばね１３が当接することによって、オン操作時とオフ操作時とで操作荷重の差が小さくなる側へコイルばね１３を強制的に移動させているので、操作ハンドル５（すなわち筒状突起５３の底面）に対するコイルばね１３の片寄りが小さくなって、オン／オフ操作時の操作荷重の差が小さくなる。
【００４４】
（実施形態３）
本発明の実施形態３を図８及び図９を参照して説明する。尚、スイッチの基本構成は実施形態２と同様であるので、共通する構成には同一の符号を付してその説明は省略し、本実施形態の特徴となる構成についてのみ説明する。
【００４５】
実施形態２では、筒状突起５３の内壁にリブ５６を底面から開口縁にかけて形成しているのに対して、本実施形態では、リブ５６に開口側から底面側へ行くにしたがって筒状突起５３の内壁からの突出量が大きくなるような傾斜面５７を形成しており、リブ５６を開口縁まで形成した場合に比べて筒状突起５３の開口が広くなるので、コイルばね１３を挿入する作業の作業性が向上する。
【００４６】
（実施形態４）
本発明の実施形態４を図１０及び図１１を参照して説明する。尚、スイッチの基本構成は実施形態３と同様であるので、共通する構成には同一の符号を付してその説明は省略し、本実施形態の特徴となる構成についてのみ説明する。
【００４７】
本実施形態では、実施形態３のスイッチにおいて、筒状突起５３の底面にリード端子１７ａが入り込むリード端子収納溝５５をリード端子１７ａの挿入方向に沿って設けており、実施形態１で説明したようにコイルばね１３が当接する部位の凹凸を少なくして、コイルばね１３のばね荷重が操作ハンドル５に片寄って加わるのを抑制することができ、実施形態３のスイッチに比べて、オン／オフ操作時の操作荷重の差をさらに小さくできる。
【００４８】
尚、本実施形態では実施形態３で説明したスイッチにおいて、筒状突起５３の底面にリード端子１７ａが入り込むリード端子収納溝５５を設けているが、図１２に示すように、実施形態２で説明したスイッチにおいて、筒状突起５３の底面にリード端子１７ａが入り込むリード端子収納溝５５を設けても良いことは、言うまでもない。
【００４９】
（実施形態５）
本発明の実施形態５を図１３を参照して説明する。尚、スイッチの基本構成は実施形態１と同様であるので、共通する構成には同一の符号を付してその説明は省略し、本実施形態の特徴となる構成についてのみ説明する。
【００５０】
本実施形態では、実施形態１のスイッチにおいて、筒状突起５３の底面にリード端子１７ａが入り込むリード端子収納溝５５を設ける代わりに、コイルばね１３の上端部がオン／オフ操作時の操作荷重の差が小さくなる側へ移動するように、操作ハンドル５の回動中心の位置と筒状突起５３の中心位置とをずらしている。
【００５１】
このように、操作ハンドル５の回動中心の位置と筒状突起５３の中心位置とをずらすことによって、筒状突起５３内に挿入されたコイルばね１３の上端部の位置を、オン／オフ操作時の操作荷重の差が小さくなる側へ強制的に寄せているので（すなわち、コイルばね１３の上端部が筒状突起５３の底面に対して略垂直に挿入されるようにコイルばね１３の上端部の位置を移動させているので）、操作ハンドル５（すなわち筒状突起５３の底面）に対するコイルばね１３の片寄りが小さくなって、コイルばね１３のばね荷重が操作ハンドル５の片側に片寄って加わるのを抑制でき、オン操作時とオフ操作時とで操作荷重の差が小さくなる。
【００５２】
なお本実施形態では、操作ハンドル５の回動中心と筒状突起５３の中心位置とをずらすことによって、コイルばね１３の上端部が筒状突起５３の底面に対して略垂直に挿入されるように、筒状突起５３の中心位置と開閉体１１の回動中心との相対位置をずらしているが、図１４に示すように操作ハンドル５の回動中心の位置と開閉体１１の回動中心の位置とをずらすことによって、コイルばね１３の上端部が筒状突起５３の底面に対して略垂直に挿入されるように、筒状突起５３の中心位置と開閉体１１の回動中心との相対位置をずらすようにしても良く、上述と同様の効果が得られる。
【００５３】
【発明の効果】
上述のように、請求項１の発明は、器体内部に納装され外部の電線がそれぞれ接続される第１及び第２の端子部と、器体内部に納装され第１及び第２の端子部の間の電路の電気的接続状態を切り替える接点部と、器体前面に設けた開口から前面を露出させた状態で器体前面と交差する面内において回動自在に器体内部に保持された操作ハンドルと、操作ハンドル内部に納装され、電路の電気的接続状態に応じて点灯又は消灯する点灯ブロックとを備えたスイッチにおいて、接点部を、第１の端子部に設けられた固定接点と、導電材料により形成され第２の端子部と接触した状態で回動する開閉体と、開閉体に設けられ開閉体の回動に応じて固定接点と接触又は開離する可動接点と、弾性を有する金属材料により形成され、操作ハンドルの背面に設けられた収納凹所に一端部が納装されるとともに他端部が開閉体で保持され、操作ハンドルの回動に応じて反対側に屈曲することにより開閉体に反転回動力を付与するコイルばねとで構成するとともに、点灯ブロックを、操作ハンドルの回動に応じて第１の端子部と接触又は開離する端子片と、先端が操作ハンドルの収納凹所内に挿入されて収納凹所の底面に配置され、収納凹所に挿入されたコイルばねの一端部に電気的且つ機械的に接触するリード端子と、端子片とリード端子との間に電気的に接続され、端子片が第１の端子部に接触した場合にコイルばね及び端子片を介して通電されて点灯する発光素子とで構成し、操作ハンドルに設けた収納凹所の底面に、リード端子が入り込むリード端子収納溝を設けたことを特徴としている。このような構成を採用したことによって、リード端子がリード端子収納溝内に入り込み、収納凹所の底面とリード端子との段差が小さくなるから、コイルばねの一端部が当接する部位の凹凸を小さくでき、その結果コイルばねの一端部が収納凹所内の片側に片寄って当たるのを防止できるから、オン操作時とオフ操作時とで操作ハンドルに加わるコイルばねのばね荷重の差が小さくなり、操作荷重の差を小さくして、操作時の感触を良好にできるという効果がある。
【００５４】
請求項２の発明は、器体内部に納装され外部の電線がそれぞれ接続される第１及び第２の端子部と、器体内部に納装され第１及び第２の端子部の間の電路の電気的接続状態を切り替える接点部と、器体前面に設けた開口から前面を露出させた状態で器体前面と交差する面内において回動自在に器体内部に保持された操作ハンドルと、操作ハンドル内部に納装され、電路の電気的接続状態に応じて点灯又は消灯する点灯ブロックとを備えたスイッチにおいて、接点部を、第１の端子部に設けられた固定接点と、導電材料により形成され第２の端子部と接触した状態で回動する開閉体と、開閉体に設けられ開閉体の回動に応じて固定接点と接触又は開離する可動接点と、弾性を有する金属材料により形成され、操作ハンドルの背面に設けられた収納凹所に一端部が納装されるとともに他端部が開閉体で保持され、操作ハンドルの回動に応じて反対側に屈曲することにより開閉体に反転回動力を付与するコイルばねとで構成するとともに、点灯ブロックを、操作ハンドルの回動に応じて第１の端子部と接触又は開離する端子片と、先端が操作ハンドルの収納凹所内に挿入されて収納凹所の底面に配置され、収納凹所に挿入されたコイルばねの一端部に電気的且つ機械的に接触するリード端子と、端子片とリード端子との間に電気的に接続され、端子片が第１の端子部に接触した場合にコイルばね及び端子片を介して通電されて点灯する発光素子とで構成し、操作ハンドルに設けた収納凹所の内壁に、コイルばねと当接してコイルばねを反対側の内壁に押し付けることにより、オン／オフ操作時の操作荷重の差が小さくなる側へコイルばねを強制的に移動させるリブを設けたことを特徴としている。而して、コイルばねの一端部を操作ハンドルの収納凹所に挿入すると、収納凹所の内壁に設けたリブによってコイルばねが反対側の内壁に押し付けられ、オン／オフ操作時の操作荷重の差が小さくなる側へコイルばねを強制的に移動させるから、操作荷重の差を小さくして操作時の感触を良好にできるという効果がある。
【００５５】
請求項３の発明は、請求項２の発明において、リブに、収納凹所の開口側から底面側へ行くにしたがって収納凹所の内壁からの突出量が大きくなるような傾斜面を設けたことを特徴とし、収納凹所の開口側から底面側へ行くにしたがって収納凹所の内壁からの突出量が大きくなるような傾斜面をリブに設けているので、収納凹所の開口が広くなって、コイルばねの一端部を収納凹所に挿入する作業がやり易くなるという利点がある。
【００５６】
請求項４の発明は、請求項２又は３の発明において、収納凹所の底面に、リード端子が入り込むリード端子収納溝を設けたことを特徴とし、リード端子がリード端子収納溝内に入り込み、収納凹所の底面とリード端子との段差が小さくなるので、コイルばねの一端部が当接する部位の凹凸を小さくできる。その結果コイルばねの一端部が収納凹所内の片側に片寄って当たるのを防止できるから、オン操作時とオフ操作時とで操作ハンドルに加わるコイルばねのばね荷重の差が小さくなり、操作荷重の差を小さくして、操作時の感触を良好にできるという効果がある。
【００５７】
請求項５の発明は、器体内部に納装され外部の電線がそれぞれ接続される第１及び第２の端子部と、器体内部に納装され第１及び第２の端子部の間の電路の電気的接続状態を切り替える接点部と、器体前面に設けた開口から前面を露出させた状態で器体前面と交差する面内において回動自在に器体内部に保持された操作ハンドルと、操作ハンドル内部に納装され、電路の電気的接続状態に応じて点灯又は消灯する点灯ブロックとを備えたスイッチにおいて、接点部を、第１の端子部に設けられた固定接点と、導電材料により形成され第２の端子部と接触した状態で回動する開閉体と、開閉体に設けられ開閉体の回動に応じて固定接点と接触又は開離する可動接点と、弾性を有する金属材料により形成され、操作ハンドルの背面に設けられた収納凹所に一端部が納装されるとともに他端部が開閉体で保持され、操作ハンドルの回動に応じて反対側に屈曲することにより開閉体に反転回動力を付与するコイルばねとで構成するとともに、点灯ブロックを、操作ハンドルの回動に応じて第１の端子部と接触又は開離する端子片と、先端が操作ハンドルの収納凹所内に挿入されて収納凹所の底面に配置され、収納凹所に挿入されたコイルばねの一端部に電気的且つ機械的に接触するリード端子と、端子片とリード端子との間に電気的に接続され、端子片が第１の端子部に接触した場合にコイルばね及び端子片を介して通電されて点灯する発光素子とで構成し、コイルばねの一端部が収納凹所内でオン／オフ操作時の操作荷重の差が小さくなる側へ移動するように、収納凹所の位置と開閉体の回動中心の位置とを相対的にずらしたことを特徴としている。このように、収納凹所の位置と開閉体の回動中心の位置とを相対的にずらすことによって、コイルばねの一端部を収納凹所内でオン／オフ操作時の操作荷重の差が小さくなる側へ移動させているので、操作荷重の差を小さくして操作時の感触を良好にできるという効果がある。
【００５８】
請求項６の発明は、請求項５の発明において、操作ハンドルの回動中心の位置と収納凹所の位置とをずらすことによって、収納凹所の位置と開閉体の回動中心の位置とを相対的にずらしたことを特徴とし、請求項５の発明と同様の効果を奏する。
【００５９】
請求項７の発明は、請求項５の発明において、操作ハンドルの回動中心の位置と開閉体の回動中心の位置とをずらすことによって、収納凹所の位置と開閉体の回動中心の位置とを相対的にずらしたことを特徴とし、請求項５の発明と同様の効果を奏する。
【図面の簡単な説明】
【図１】実施形態１のスイッチに用いる操作ハンドルを示し、（ａ）は断面図、（ｂ）は操作ハンドルの筒状突起を下面側から見た図、（ｃ）はＢ−Ｂ断面図である。
【図２】同上のスイッチの側断面図である。
【図３】同上のスイッチの分解斜視図である。
【図４】同上のスイッチ、取付枠及びプレートを示す分解斜視図である。
【図５】同上のスイッチを取付枠に取り付け、プレートを被せた状態の斜視図である。
【図６】実施形態２のスイッチに用いる操作ハンドルを示し、（ａ）は断面図、（ｂ）は操作ハンドルの筒状突起を下面側から見た図である。
【図７】同上のスイッチの側断面図である。
【図８】実施形態３のスイッチに用いる操作ハンドルの断面図である。
【図９】同上の側断面図である。
【図１０】実施形態４のスイッチに用いる操作ハンドルを示し、（ａ）は断面図、（ｂ）は操作ハンドルの筒状突起を下面側から見た図である。
【図１１】同上の側断面図である。
【図１２】同上に用いる別の操作ハンドルを示し、（ａ）は断面図、（ｂ）は操作ハンドルの筒状突起を下面側から見た図である。
【図１３】実施形態５のスイッチの側断面図である。
【図１４】同上の別のスイッチの側断面図である。
【図１５】従来のスイッチに用いる操作ハンドルを示し、（ａ）は断面図、（ｂ）は操作ハンドルの筒状突起を下面側から見た図である。
【図１６】同上の側断面図である。
【図１７】従来の別のスイッチに用いる操作ハンドルを示し、（ａ）は断面図、（ｂ）は操作ハンドルの筒状突起を下面側から見た図である。
【符号の説明】
５  操作ハンドル
１３  コイルばね
１７  抵抗
１７ａ  リード端子
５３  筒状突起
５５  リード端子収納溝
【図１】
0003861684.tif 000002
【図２】
0003861684.tif 000003
【図３】
0003861684.tif 000004
【図４】
0003861684.tif 000005
【図５】
0003861684.tif 000006
【図６】
0003861684.tif 000007
【図７】
0003861684.tif 000008
【図８】
0003861684.tif 000009
【図９】
0003861684.tif 000010
【図１０】
0003861684.tif 000011
【図１１】
0003861684.tif 000012
【図１２】
0003861684.tif 000013
【図１３】
0003861684.tif 000014
【図１４】
0003861684.tif 000015
【図１５】
0003861684.tif 000016
【図１６】
0003861684.tif 000017
【図１７】
0003861684.tif 000018